(57)【要約】【課題】画素信号を蓄積するコンデンサの数を低減できるようにする。【解決手段】複数の画素が行方向及び列方向に二次元に配置されており、これら複数の画素のうち行方向又は列方向に隣接する画素は互いに異なる色のカラーフィルタを有している。複数の画素のうち、画素信号混合の対象となる画素混合ユニットに含まれ且つ同じ行に位置すると共に同じ色のカラーフィルタを有している画素よりなる同行且つ同色の画素群１、２、３毎に信号混合手段が設けられており、各信号混合手段は、コンデンサ１６と伝達スイッチ１９、コンデンサ１７と伝達スイッチ２０、コンデンサ１８と伝達スイッチ２１とからなり、同行且つ同色の画素群１、２、３に含まれる画素からの画素信号を記憶すると共に互いに混合する。【選択図】      図１
2004235677.tif 000002
【特許請求の範囲】
【請求項１】
行方向及び列方向に二次元に配置された複数の画素を有すると共に、前記複数の画素のうち行方向又は列方向に隣接する画素は互いに異なる色のカラーフィルタを有している固体撮像装置であって、
前記複数の画素のうち、画素信号混合の対象となる画素混合ユニットに含まれ且つ同じ行に位置すると共に同じ色のカラーフィルタを有している画素よりなる同行且つ同色の画素群毎に設けられた複数の信号混合手段を備え、
前記複数の信号混合手段のそれぞれは、前記同行且つ同色の画素群に含まれる画素からの画素信号を記憶すると共に互いに混合することを特徴とする固体撮像装置。
【請求項２】
前記信号混合手段は、前記画素混合ユニットに含まれる前記同行且つ同色の画素群と同数個設けられた複数のコンデンサと、前記複数のコンデンサから出力される信号をそれぞれ共通の出力線に導く複数のスイッチとを有していることを特徴とする請求項１に記載の固体撮像装置。
【請求項３】
行方向及び列方向に二次元に配置されていると共にそれぞれがカラーフィルタを持つ複数の画素を有していると共に、前記カラーフィルタの色が２行及び２列を一単位として二次元に繰り返し配列されてなる固体撮像装置であって、
前記複数の画素をｐ（但し、ｐ＝４ｎ＋１、ｎは自然数）行及びｑ（但し、ｑ＝４ｍ＋１、ｍは自然数）列からなる領域に含まれるｐ×ｑ個の画素からなる画素混合ユニットに分類し、前記画素混合ユニットを構成する画素のうち行方向及び列方向の中心に位置する画素から偶数行目及び偶数列目に位置する画素が同色のカラーフィルタを有するように設定し、前記画素混合ユニットを（ｐ＋１）／２個の画素分だけ行方向にずれ且つ（ｑ＋１）／２個の画素だけ列方向にずれると共に順次オーバーラップするように二次元に配列する配列手段を備えていると共に、
前記画素混合ユニットを構成する画素のうち同色のカラーフィルタを持つ画素からの画素信号を混合する信号混合手段を前記画素混合ユニット毎に備えていることを特徴とする固体撮像装置。
【発明の詳細な説明】
【０００１】
【発明が属する技術分野】
本発明は、行方向及び列方向に二次元に配置された複数の画素を有すると共に、複数の画素のうち行方向又は列方向に隣接する画素は互いに異なる色のカラーフィルタを有している固体撮像装置に関する。
【０００２】
【従来の技術】
近年、固体撮像装置としては、例えば図８に示すようなものが知られている（特許文献１を参照）。
【０００３】
以下、図８を参照しながら、特許文献１に示される従来の固体撮像装置について説明する。
【０００４】
図８に示すように、複数の画素が行方向及び列方向に二次元に配置されてなると共にカラーフィルタの色（Ｒ、Ｇ、Ｂ）が２行及び２列を一単位として二次元に繰り返し配列されており、４行及び４列からなる領域に含まれる１６個の画素が１つの画素加算グループを構成している。尚、各画素加算グループ同士は行方向及び列方向にオーバーラップしていない。各画素加算グループにおいて、１０１はカラーフィルタ（Ｇ）を利用する第１のＧ利用範囲を示し、１０２はカラーフィルタ（Ｂ）を利用するＢ利用範囲を示し、１０３はカラーフィルタ（Ｒ）を利用するＲ利用範囲を示し、１０４はカラーフィルタ（Ｇ）を利用する第２のＧ利用範囲を示している。
【０００５】
図９は、図８に示す固体撮像装置において生成される画素信号を加算する回路を示している。
【０００６】
まず、第１のＧ利用範囲１０１に含まれる画素１０５及び画素１０６の信号が、図９におけるコンデンサ１０７及びコンデンサ１０８にそれぞれ蓄積された後、ＭＯＳトランジスタよりなるスイッチ１０９が導通することにより、画素１０５の信号と画素１０６の信号とが加算されて出力線１１０に出力される。
【０００７】
【特許文献】
特開２００１−２９２４５３号公報
【０００８】
【発明が解決しようとする課題】
前記従来の固体撮像装置においては、各画素加算グループにおいて、信号を蓄積するコンデンサの数は画素の数と同じになるため、多数のコンデンサが必要になる。
【０００９】
従って、デジタルスチルカメラ又はデジタルビデオカメラ等に用いられ、超メガピクセル等のように、画素数が多い固体撮像装置においては、極めて多くのコンデンサが必要になる。
【００１０】
このため、画素数が多い固体撮像装置においては、装置の構成が複雑になると共に装置の小型化を図ることが困難であるという問題がある。
【００１１】
前記に鑑み、本発明は、画素信号を蓄積するコンデンサの数を低減できる固体撮像装置を提供することを目的とする。
【００１２】
【課題を解決するための手段】
前記の目的を達成するため、本発明に係る第１の固体撮像装置は、行方向及び列方向に二次元に配置された複数の画素を有すると共に、複数の画素のうち行方向又は列方向に隣接する画素は互いに異なる色のカラーフィルタを有している固体撮像装置を対象とし、複数の画素のうち、画素信号混合の対象となる画素混合ユニットに含まれ且つ同じ行に位置すると共に同じ色のカラーフィルタを有している画素よりなる同行且つ同色の画素群毎に設けられた複数の信号混合手段を備え、複数の信号混合手段のそれぞれは、同行且つ同色の画素群に含まれる画素からの画素信号を記憶すると共に互いに混合することを特徴とする。
【００１３】
本発明に係る第１の固体撮像装置によると、画素信号混合の対象となる画素混合ユニットに含まれ且つ同じ行に位置すると共に同じ色のカラーフィルタを有する画素よりなる同行且つ同色の画素群毎に信号混合手段が設けられ、各信号混合手段は、同行且つ同色の画素群に含まれる画素からの画素信号を記憶すると共に互いに混合するため、画素信号を蓄積するコンデンサの数を低減することができ、これによって、固体撮像装置の構成の簡易化及び小型化を図ることが可能になる。
【００１４】
本発明に係る第１の固体撮像装置において、信号混合手段は、画素混合ユニットに含まれる同行且つ同色の画素群と同数個設けられた複数のコンデンサと、複数のコンデンサから出力される信号をそれぞれ共通の出力線に導く複数のスイッチとを有していることが好ましい。
【００１５】
このようにすると、固体撮像装置の構成の簡素化及び小型化をより確実に実現することができる。
【００１６】
本発明に係る第２の固体撮像装置は、行方向及び列方向に二次元に配置されていると共にそれぞれがカラーフィルタを持つ複数の画素を有していると共に、カラーフィルタの色が２行及び２列を一単位として二次元に繰り返し配列されてなる固体撮像装置を対象とし、複数の画素をｐ（但し、ｐ＝４ｎ＋１、ｎは自然数）行及びｑ（但し、ｑ＝４ｍ＋１、ｍは自然数）列からなる領域に含まれるｐ×ｑ個の画素からなる画素混合ユニットに分類し、画素混合ユニットを構成する画素のうち行方向及び列方向の中心に位置する画素から偶数行目及び偶数列目に位置する画素が同色のカラーフィルタを有するように設定し、画素混合ユニットを（ｐ＋１）／２個の画素分だけ行方向にずれ且つ（ｑ＋１）／２個の画素だけ列方向にずれると共に順次オーバーラップするように二次元に配列する配列手段を備えていると共に、画素混合ユニットを構成する画素のうち同色のカラーフィルタを持つ画素からの画素信号を混合する信号混合手段を画素混合ユニット毎に備えていることを特徴とする。
【００１７】
本発明に係る第２の固体撮像装置によると、画素混合ユニット毎に同色のカラーフィルタを有する画素からの画素信号を混合する信号混合手段が設けられているため、画素信号を蓄積するコンデンサの数を低減することができ、これによって、固体撮像装置の構成の簡易化及び小型化を図ることが可能になる。
【００１８】
【発明の実施形態】
（第１の実施形態）
以下、本発明の第１の実施形態に係る固体撮像装置について、図１〜図４を参照しながら説明する。
【００１９】
第１の実施形態においては、行方向及び列方向に二次元に配置された複数の画素を有すると共に、これら複数の画素のうち行方向又は列方向に隣接する画素は互いに異なる色のカラーフィルタを有している。
【００２０】
第１の実施形態に係る固体撮像装置は、二次元に配置された複数の画素のうち、画素信号混合の対象となる画素混合ユニットに含まれ且つ同じ行に位置すると共に同じ色のカラーフィルタを有する画素よりなる同行且つ同色の画素群毎に信号混合手段を備えている。
【００２１】
図１は、前述の信号混合手段の回路構成を示しており、一の画素混合ユニットに含まれ且つ同色のカラーフィルタを有する画素で得られた画素信号を混合する画素信号混合回路３２の構成を示している。図１において、１、２、３は、それぞれ、一の画素混合ユニットに含まれ且つ同じ行に位置すると共に、同色のカラーフィルタを有する画素よりなる同行且つ同色の画素群を示している。例えば、同行且つ同色の画素群１、同行且つ同色の画素群２及び同行且つ同色の画素群３は、互いに異なる行に位置しているが、同行且つ同色の画素群１、２、３は、それぞれ、同色のカラーフィルタを有する複数の画素例えば３個の画素よりなる。また、４、５、６は、同行且つ同色の画素群１、２、３と同じ画素混合ユニットに含まれるが、同行且つ同色の画素群１、２、３とは異なる色のカラーフィルタを有する画素よりなる画素群を示している。
【００２２】
図１において、７、８、９は同行且つ同色の画素群１、２、３に含まれる画素において生成された画素信号を転送するＭＯＳトランジスタよりなる転送スイッチであり、転送スイッチ７、８、９はゲート信号線２２により制御される。また、１０Ａ、１０Ｂ、１０Ｃ、１１Ａ、１１Ｂ、１１Ｃ、１２Ａ、１２Ｂ、１２ＣはＭＯＳトランジスタよりなる伝達スイッチであり、伝達スイッチ１０Ａ、１１Ａ、１２Ａはゲート信号線２４により制御され、伝達スイッチ１０Ｂ、１１Ｂ、１２Ｂはゲート信号線２５により制御され、伝達スイッチ１０Ｃ、１１Ｃ、１２Ｃはゲート信号線２６により制御される。また、１３、１４、１５はＭＯＳトランジスタよりなる伝達スイッチであり、伝達スイッチ１３、１４、１５はゲート信号線２７により制御される。また、１６、１７、１８は信号電荷を蓄積するコンデンサであって、コンデンサ１６、１７、１８は、同行且つ同色の画素群１、２、３に含まれる画素において生成された信号電荷を順次蓄積する。また、１９、２０、２１はコンデンサ１６、１７、１８に蓄積された信号電荷を出力線２８に伝達するＭＯＳトランジスタよりなる伝達スイッチであり、伝達スイッチ１９、２０、２１はゲート信号線２９、３０、３１によりそれぞれ制御される。
【００２３】
図２は、画素信号混合回路３２において画素信号を混合する混合動作を行なう場合のタイミングチャートを示しており、図２において、４０は転送スイッチ７、８、９を制御するゲート信号線２２に印加される信号を示し、４１、４２、４３は伝達スイッチ（１０Ａ、１１Ａ、１２Ａ）、（１０Ｂ、１１Ｂ、１２Ｂ）、（１０Ｃ、１１Ｃ、１２Ｃ）をそれぞれ制御するゲート信号線２４、２５、２６に印加される信号を示している。また、４４は伝達スイッチ１３、１４、１５を制御するゲート信号線２７に印加される信号を示しており、信号４４は混合動作においては常にローレベルに設定される。また、４５、４６、４７は伝達スイッチ１９、２０、２１を制御するゲート信号線２９、３０、３１に印加される信号を示し、信号２９、３０、３１は同じレベルの信号である。
【００２４】
まず、期間Ｔ１においては、信号４０がハイレベルになった後、信号４１がハイレベルになることにより、同行且つ同色の画素群１、２、３に含まれる画素のうち第１列の画素からの画素信号が出力されて、コンデンサ１６にそれぞれ蓄積される。すなわち、同行且つ同色の画素群１の第１列の画素からの画素信号が転送スイッチ７及び伝達スイッチ１０Ａを介してコンデンサ１６に蓄積され、同行且つ同色の画素群２の第１列の画素からの画素信号が転送スイッチ８及び伝達スイッチ１１Ａを介してコンデンサ１６に蓄積され、同行且つ同色の画素群３の第１列の画素からの画素信号が転送スイッチ９及び伝達スイッチ１２Ａを介してコンデンサ１６に蓄積される。
【００２５】
次に、期間Ｔ２においては、信号４０がハイレベルになった後、信号４２がハイレベルになることにより、同行且つ同色の画素群１、２、３に含まれる画素のうち第２列の画素からの画素信号が出力されて、コンデンサ１７にそれぞれ蓄積される。すなわち、同行且つ同色の画素群１の第２列の画素からの画素信号が転送スイッチ７及び伝達スイッチ１０Ｂを介してコンデンサ１７に蓄積され、同行且つ同色の画素群２の第２列の画素からの画素信号が転送スイッチ８及び伝達スイッチ１１Ｂを介してコンデンサ１７に蓄積され、同行且つ同色の画素群３の第２列の画素からの画素信号が転送スイッチ９及び伝達スイッチ１２Ｂを介してコンデンサ１７に蓄積される。
【００２６】
次に、期間Ｔ３においては、信号４０がハイレベルになった後、信号４３がハイレベルになることにより、同行且つ同色の画素群１、２、３に含まれる画素のうち第３列の画素からの画素信号が出力されて、コンデンサ１８にそれぞれ蓄積される。すなわち、同行且つ同色の画素群１の第３列の画素からの画素信号が転送スイッチ７及び伝達スイッチ１０Ｃを介してコンデンサ１８に蓄積され、同行且つ同色の画素群２の第３列の画素からの画素信号が転送スイッチ８及び伝達スイッチ１１Ｃを介してコンデンサ１８に蓄積され、同行且つ同色の画素群３の第３列の画素からの画素信号が転送スイッチ９及び伝達スイッチ１２Ｃを介してコンデンサ１８に蓄積される。
【００２７】
その後、信号４５、４６、４７が同時にハイレベルになることにより、コンデンサ１６、１７、１８に蓄積されている画素信号が伝達スイッチ１９、２０、２１を介して出力線２８に出力される。
【００２８】
これらの一連の動作によって、同行且つ同色の画素群１、２、３に含まれる例えば９個の画素からの画素信号が混合される。
【００２９】
図３は、画素信号混合回路３２において画素信号を順次出力する通常動作を行なう場合のタイミングチャートを示しており、図３において、５０は転送スイッチ７、８、９を制御するゲート信号線２２に印加される信号を示し、５１、５２、５３はゲート信号線２４、２５、２６に印加される信号を示し、信号２４、２５、２６は通常動作においては常にローレベルに設定される。また、５４は伝達スイッチ１３、１４、１５を制御するゲート信号線２７に印加される信号を示しており、信号５４は通常動作においては常にハイレベルに設定される。また、５５、５６、５７は伝達スイッチ１９、２０、２１を制御するゲート信号線２９、３０、３１に印加される信号を示している。
【００３０】
まず、期間Ｔ１においては、信号５０がハイレベルになることにより、同行且つ同色の画素群１の第１列の画素からの画素信号が転送スイッチ７及び伝達スイッチ１３を介してコンデンサ１６に蓄積され、同行且つ同色の画素群２の第１列の画素からの画素信号が転送スイッチ８及び伝達スイッチ１４を介してコンデンサ１７に蓄積され、同行且つ同色の画素群３の第１列の画素からの画素信号が転送スイッチ９及び伝達スイッチ１５を介してコンデンサ１８に蓄積される。その後、信号５５、信号５６及び信号５７が順次ハイレベルになることにより、コンデンサ１６、１７、１８に蓄積されている画素信号は順次伝達スイッチ１９、２０、２１を介して出力線２８に出力される。
【００３１】
次に、期間Ｔ２においては、信号５０がハイレベルになることにより、同行且つ同色の画素群１の第２列の画素からの画素信号が転送スイッチ７及び伝達スイッチ１３を介してコンデンサ１６に蓄積され、同行且つ同色の画素群２の第２列の画素からの画素信号が転送スイッチ８及び伝達スイッチ１４を介してコンデンサ１７に蓄積され、同行且つ同色の画素群３の第２列の画素からの画素信号が転送スイッチ９及び伝達スイッチ１５を介してコンデンサ１８に蓄積される。その後、信号５５、信号５６及び信号５７が順次ハイレベルになることにより、コンデンサ１６、１７、１８に蓄積されている画素信号は順次伝達スイッチ１９、２０、２１を介して出力線２８に出力される。
【００３２】
次に、期間Ｔ３においては、信号５０がハイレベルになることにより、同行且つ同色の画素群１の第３列の画素からの画素信号が転送スイッチ７及び伝達スイッチ１３を介してコンデンサ１６に蓄積され、同行且つ同色の画素群２の第３列の画素からの画素信号が転送スイッチ８及び伝達スイッチ１４を介してコンデンサ１７に蓄積され、同行且つ同色の画素群３の第３列の画素からの画素信号が転送スイッチ９及び伝達スイッチ１５を介してコンデンサ１８に蓄積される。その後、信号５５、信号５６及び信号５７が順次ハイレベルになることにより、コンデンサ１６、１７、１８に蓄積されている画素信号は順次伝達スイッチ１９、２０、２１を介して出力線２８に出力される。
【００３３】
これらの一連の動作によって、同行且つ同色の画素群１、２、３に含まれる例えば９個の画素からの画素信号が順次出力される。
【００３４】
図４は、同行且つ同色の画素群１、２及び３と同じ画素混合ユニットに含まれるが、同行且つ同色の画素群１、２及び３とは異なる色のカラーフィルタを有する複数の画素よりなる同行且つ同色の画素群４、５、６に含まれる画素で得られた画素信号を混合する画素信号混合回路３３が、前述の画素信号混合回路３２に隣接された構成を示している。尚、画素信号混合回路３３の構成及び動作は、画素信号混合回路３２と同じであるから、説明は省略する。
【００３５】
（第２の実施形態）
以下、本発明の第２の実施形態に係る固体撮像装置について、図５〜図７を参照しながら説明する。
【００３６】
図５は第２の実施形態に係る固体撮像装置における画素の配列を示しており、該固体撮像装置においては、行方向及び列方向に二次元に配置されていると共にそれぞれがカラーフィルタを持つ複数の画素を有していると共に、カラーフィルタの色が２行及び２列を一単位として二次元に繰り返し配列されている。
【００３７】
複数の画素は、ｐ（但し、ｐ＝４ｎ＋１、ｎは自然数）行及びｑ（但し、ｑ＝４ｍ＋１、ｎは自然数）列からなる領域に含まれるｐ×ｑ個の画素からなる画素混合ユニットに分類され、各画素混合ユニットを構成する画素のうち行方向且つ列方向の中心に位置する中心画素から偶数行目及び偶数列目に位置する画素は同色のカラーフィルタを有するように設定されている。
【００３８】
また、各画素混合ユニットが、（ｐ＋１）／２個の画素分だけ行方向にずれると共に（ｑ＋１）／２個の画素分だけ列方向にずれることにより、各画素混合ユニットは順次オーバーラップするように二次元に配列されている。
【００３９】
図５は、８行及び８列の領域に含まれる６４個の画素が、ｎ＝ｍ＝１つまりｐ＝ｑ＝５である、５行及び５列からなる領域に含まれる２５個の画素からなる画素混合ユニットに分類されると共に、各画素混合ユニットは３個の画素分だけ行方向にずれると共に３個の画素分だけ列方向にずれることにより、各画素混合ユニットが順次オーバーラップするように二次元に配列されている。
【００４０】
具体的には、６４個の画素は、カラーフィルタ（Ｇｒ）を利用する第１の画素混合ユニット６１と、カラーフィルタ（Ｒ）を利用する第２の画素混合ユニット６２と、カラーフィルタ（Ｂ）を利用する第３の画素混合ユニット６３と、カラーフィルタ（Ｇｂ）を利用する第４の画素混合ユニット６４とに分類されている。
【００４１】
例えば、第１の画素混合ユニット６１には、カラーフィルタ（Ｇｒ）を有する画素が３行分且つ３列分を構成する９個含まれており、これらの画素は、６１−１１、６１−１２、６１−１３、６１−２１、６１−２２、６１−２３、６１−３１、６１−３２、６１−３３で表わされる。同様にして、第２の画素混合ユニット６２には、カラーフィルタ（Ｒ）を有する画素が３行分且つ３列分を構成する９個含まれており、第３の画素混合ユニット６３には、カラーフィルタ（Ｂ）を有する画素が３行分且つ３列分を構成する９個含まれており、第４の画素混合ユニット４には、カラーフィルタ（Ｇｂ）を有する画素が３行分且つ３列分を構成する９個含まれている。
【００４２】
図６は、第１の画素混合ユニット６１と、その周辺に位置する８つの画素混合ユニットとの配列を示しており、具体的には、カラーフィルタ（Ｇｒ）を利用する第１の画素混合ユニット６１の周辺には、カラーフィルタ（Ｂ）を利用する４つの第３の画素混合ユニット７１、７３、７６、７８と、カラーフィルタ（Ｇｂ）を利用する２つの第４の画素混合ユニット７２、７７と、カラーフィルタ（Ｒ）を利用する２つの第２の画素混合ユニット７４、７５が配置されており、各画素混合ユニット同士は２行分の画素又は２列分の画素がオーバーラップしている。
【００４３】
図７は、第１の画素混合ユニット６１に含まれる９個の画素６１−１１、６１−１２、６１−１３、６１−２１、６１−２２、６１−２３、６１−３１、６１−３２、６１−３３において生成される９個の信号を混合する方法を示しており、具体的には、第１の画素混合ユニット６１の中心に位置する画素６１−２２の信号と、その周辺に位置する８個の画素６１−１１、６１−１２、６１−１３、６１−２１、６１−２３、６１−３１、６１−３２、６１−３３において生成される８個の信号とが混合されることにより、混合信号Ｇｒが出力される方法を示している。
【００４４】
同様にして、第２の画素混合ユニット６２の中心に位置する画素６２−２２の信号と、その周辺に位置する８個の画素において生成される８個の信号とが混合されることにより混合信号Ｒが出力され、第３の画素混合ユニット６３の中心に位置する画素６３−２２の信号と、その周辺に位置する８個の画素において生成される８個の信号とが混合されることにより混合信号Ｂが出力され、第４の画素混合ユニット６４の中心に位置する画素６４−２２の信号と、その周辺に位置する８個の画素において生成される８個の信号とが混合されることにより混合信号Ｇｂが出力される。
【００４５】
このように、第１〜第４の画素混合ユニット６１、６２、６３、６４に含まれる９個の画素の信号を混合することにより、画素情報の欠損を招くことなく画素情報を記憶するレジスタの数を１／９に低減することができる。
【００４６】
また、９個の画素の信号が混合されてなる混合信号の重心の位置が画素混合ユニットの中心の位置と一致すると共に、各画素混合ユニットが２行及び２列づつオーバーラップしながら二次元に均等に配列されるため、各混合信号の配列は、元のカラーフィルタの配列（混合される前のカラーフィルタの配列）と同様になる。
【００４７】
尚、第２の実施形態に係る固体撮像装置において、画素信号を混合する回路及びその動作については、第１の実施形態と同様である。
【００４８】
【発明の効果】
本発明に係る第１又は第２の固体撮像装置によると、画素信号を蓄積するコンデンサの数を低減することができ、これによって、固体撮像装置の構成の簡易化及び小型化を図ることが可能になる。
【図面の簡単な説明】
【図１】本発明の第１の実施の形態に係る固体撮像装置における画素信号混合回路の構成を示す図である。
【図２】第１の実施形態における画素信号混合回路が画素信号を混合する混合動作を行なう場合のタイミングを示す図である。
【図３】第１の実施形態における画素信号混合回路が画素信号を順次出力する通常動作を行なう場合のタイミングを示す図である。
【図４】第１の実施形態に係る固体撮像装置が複数の画素信号混合回路を備えている場合の構成を示す図である。
【図５】本発明の第２の実施形態に係る固体撮像装置における画素の配列を示す図である。
【図６】第２の実施形態に係る固体撮像装置における画素混合ユニットの配列を示す図である。
【図７】第２の実施形態に係る固体撮像装置において画素信号を混合する方法を示す概念図である。
【図８】従来の固体撮像装置における画素信号の混合方法を示す概念図である。
【図９】従来の固体撮像装置における画素信号混合回路の構成を示す図である。
【符号の説明】
１、２、３、４、５、６  同行且つ同色の画素群
７、８、９  転送スイッチ
１０Ａ、１０Ｂ、１０Ｃ、１１Ａ、１１Ｂ、１１Ｃ、１２Ａ、１２Ｂ、１２Ｃ、１３、１４、１５、１９、２０、２１  伝達スイッチ
１６、１７、１８  コンデンサ
２２、２４、２５、２６、２７、２９、３０、３１  ゲート信号線
２８  出力線
３２、３３  画素信号混合回路
６１  第１の画素混合ユニット
６２、７４、７５  第２の画素混合ユニット
６３、７１、７３、７６、７８  第３の画素混合ユニット
６４、７２、７５  第４の画素混合ユニット
６１−１１、６１−１２、６１−１３、６１−２１、６１−２２、６１−２３、６１−３１、６１−３２、６１−３３  第１の画素混合ユニットに含まれる画素
【図１】
2004235677.tif 000003
【図２】
2004235677.tif 000004
【図３】
2004235677.tif 000005
【図４】
2004235677.tif 000006
【図５】
2004235677.tif 000007
【図６】
2004235677.tif 000008
【図７】
2004235677.tif 000009
【図８】
2004235677.tif 000010
【図９】
2004235677.tif 000011